(57)【要約】【課題】ウォーターハンマー現象による内管の揺動を抑制することができる内管揺動抑制部材、この内管揺動抑制部材を用いた二重管、およびこの二重管で構築された配管システムを提供する。【解決手段】鞘管２内に可撓性の内管３が遊挿されてなる二重管１において内管３内の流体圧の急激な変化に伴うウォーターハンマー現象に起因する衝撃によって内管３が揺動するのを抑制する内管揺動抑制部材４であって、内管３を鞘管２の内壁に接触するよう鞘管２内で内管３を偏位させた際に生じる鞘管３と内管２との間隙に介装可能で且つ厚み方向に膨縮可能なテープ状に形成されたことを特徴とする。【選択図】  図１
2007046706.tif 000002
【特許請求の範囲】
【請求項１】
鞘管内に可撓性の内管が遊挿されてなる二重管において内管内の流体圧の急激な変化に伴うウォーターハンマー現象に起因する衝撃によって内管が揺動するのを抑制する内管揺動抑制部材であって、
前記内管を前記鞘管の内壁に接触するよう前記鞘管内で前記内管を偏位させた際に生じる前記鞘管と前記内管との間隙に介装可能で且つ厚み方向に膨縮可能なテープ状に形成されたことを特徴とする二重管における内管揺動抑制部材。
【請求項２】
請求項１に記載の内管揺動抑制部材が前記鞘管と前記内管との間隙に介装されたことを特徴とする二重管。
【請求項３】
請求項２に記載の二重管を用いて構築されたことを特徴とする配管システム。
【発明の詳細な説明】
【技術分野】
【０００１】
本発明は、鞘管内に可撓性の内管が遊挿されてなる二重管において内管内の流体圧の急激な変化に伴うウォーターハンマー現象に起因する衝撃によって内管が揺動するのを抑制する内管揺動抑制部材、この内管揺動抑制部材を用いた二重管、およびこの二重管で構築された配管システムに関する。
【背景技術】
【０００２】
近年、建物内の給水管および給湯管の配管においては、図５に示すような鞘管ヘッダー式配管システムが用いられている。
【０００３】
この鞘管ヘッダー式配管システムは、屋外からの給水管および給湯管をヘッダー（分配器）５により多数本に分配して、この分配された管を、風呂、台所、洗面所などの給水栓６などにそれぞれ接続するというものであり、また、このシステムには、鞘管に内管を挿通した二重管１が用いられる。このシステムにおける二重管１の敷設は、鞘管を壁裏、床下、スラブコンクリート内などに予め敷設し、この鞘管内に内管を挿通した後、内管の一端を給水栓６などに接続し、他端をヘッダー５に接続することにより行われる。この鞘管ヘッダー式配管システムは、壁裏や床下などで自由な配管を行うことができるため、従来から行われていた金属管による配管に比べ、施工に手間がかからず、また、内管の交換が容易なことからメンテナンスを簡単に行うことができるという利点を有している。
【０００４】
ところで、一般に内管は、給水栓６が急に開閉された場合、給水栓６付近の内管の水圧が急激に変化してしまい、その反動によって内管内を流れる水が内管の内壁に衝突して振動する、いわゆるウォーターハンマー現象を生じる。このため、二重管１を用いる鞘管ヘッダー式配管システムでは、このウォーターハンマー現象によって、可撓性の内管が鞘管内で揺動し、鞘管を内側から叩いてしまうため、衝突音が発生していた。
【０００５】
そこで、この衝突音を解消するため、内管を鞘管内で湾曲させて、内管を鞘管内壁に長手方向の複数箇所で接触させた二重管１の配管方法が特許文献１に提案されている。これは、内管を鞘管内で湾曲させることによって、内管と鞘管とを接触させ、ウォーターハンマー現象による内管の揺動を抑制し、内管が鞘管へ衝突するのを防ぐというものである。
【特許文献１】特開平５−１２６２９３号公報
【発明の開示】
【発明が解決しようとする課題】
【０００６】
しかしながら、上記配管方法では、内管が鞘管内壁に長手方向の複数箇所でのみ接触しているだけなので、ウォーターハンマー現象が生じると、内管と鞘管とが離れている部分では内管の揺動が起きてしまう。従って、その揺動によって、内管と鞘管とが接触している部分で、内管が鞘管からわずかに離れ、再び鞘管と衝突してしまうため、衝突音を発生させてしまうという問題があった。
【０００７】
本発明は係る実情に鑑みてなされたもので、その目的は、ウォーターハンマー現象による内管の揺動を抑制することができる内管揺動抑制部材、この内管揺動抑制部材を用いた二重管、およびこの二重管で構築された配管システムを提供することにある。
【課題を解決するための手段】
【０００８】
上記課題を解決するため、本発明の二重管における内管揺動抑制部材は、鞘管内に可撓性の内管が遊挿されてなる二重管において内管内の流体圧の急激な変化に伴うウォーターハンマー現象に起因する衝撃によって内管が揺動するのを抑制する内管揺動抑制部材であって、前記内管を前記鞘管の内壁に接触するよう前記鞘管内で前記内管を偏位させた際に生じる前記鞘管と前記内管との間隙に介装可能で且つ厚み方向に膨縮可能なテープ状に形成されたことを特徴とする。
【０００９】
このような本発明によると、内管揺動抑制部材は、内管を鞘管の内壁に接触するよう鞘管内で内管を偏位させた際に生じる鞘管と内管との間隙に介装可能で且つ厚み方向に膨縮可能なテープ状に形成されたものであるから、内管揺動抑制部材を鞘管と内管との間隙に介装した際に、内管揺動抑制部材によって内管が鞘管の全長に亘ってその内壁に押し付けられることになり、その結果、ウォーターハンマー現象が発生しても鞘管内での内管の揺動を抑制することができる。
【００１０】
また、内管揺動抑制部材は、テープ状に形成されているので、鞘管と内管との間隙に長手方向に連続して介装させることができ、内管の揺動を二重管の全長に亘って抑制することができる。
【００１１】
また、内管揺動抑制部材は、内管が揺動したとしても、厚み方向に膨縮可能であり、内管の揺動を吸収することができるため、衝突音の発生を防ぐことができる。
【００１２】
また、内管揺動抑制部材は、内管と鞘管との間隙に挿入する際に、鞘管に扁平した部分があった場合でも、内管揺動抑制部材が厚み方向に膨縮可能であるので、鞘管の扁平部分の形状に追従でき、内管揺動抑制部材を内管と鞘管との間隙に挿入する際の抵抗を少なくすることができる。
【００１３】
なお、内管揺動抑制部材において、厚み方向に膨縮可能なテープ状とは、中実又は中空であって材質自身が有する弾性により外力を受けた際に厚みが変化する長尺体、及び、弾性を有する長尺のシート体を幅方向に二つ折り又は葛折り等することで外力を受けた際に全体の厚みが変化するもの、並びにこれらに類するものをいう。
【００１４】
また、本発明の二重管は、前記内管揺動抑制部材が前記鞘管と前記内管との間隙に介装されたことを特徴とする。
【００１５】
このような本発明によると、二重管は、内管揺動抑制部材が鞘管と内管との間隙に介装されたものであるから、ウォーターハンマー現象が発生しても鞘管内での内管の揺動を全長に亘って抑制することができる。
【００１６】
また、この二重管は、厚み方向に膨縮可能な内管揺動抑制部材を鞘管と内管との間隙に介装しているので、内管が揺動したとしても、その揺動を吸収することができるため、内管と鞘管との衝突音の発生を防ぐことができる。
【００１７】
また、本発明の配管システムは、前記二重管を用いて構築されたことを特徴とする。
【００１８】
このような本発明によると、内管が鞘管に衝突するおそれのない二重管を用いているので、内管と鞘管との衝突音のない配管システムを提供することができる。
【発明の効果】
【００１９】
本発明の内管揺動抑制部材、この内管揺動抑制部材を用いた二重管、およびこの二重管で構築された配管システムは、ウォーターハンマー現象による内管の揺動を抑制することができるといった効果を奏する。
【発明を実施するための最良の形態】
【００２０】
以下、本発明の実施の形態について、図面を参照して説明する。
【００２１】
［実施の形態１］
図１および図２は、本発明の実施の形態１における二重管を示す斜視図および断面図である。
【００２２】
本実施の形態の二重管１は、鞘管２と、この鞘管２に挿通された内管３と、鞘管２と内管３との間隙に介装された内管揺動抑制部材４とを備えている。
【００２３】
上記鞘管２としては、可撓管であれば材質を特に限定せず、例えば、ポリエチレン管などが用いられる。鞘管２は、蛇腹管とすることで、敷設の際に曲げやすく、また、その曲がり部分が扁平形状になりにくい。鞘管２は、略Ｕ字状のサドルと呼ばれる固定具によって床材、壁材などに固定されたり、また、床下などのコンクリートスラブ内に埋設されたりして敷設される。
【００２４】
上記内管３としては、可撓管であれば材質を特に限定せず、例えば、ポリエチレン管、または架橋ポリエチレン管などが用いられる。内管３は、鞘管２内に挿通され、一端はヘッダー５に接続され、他端は台所、風呂などの給水栓６などに接続される。
【００２５】
上記内管揺動抑制部材４は、鞘管２と内管３との間隙に介装されることで、鞘管２内で内管３を偏位させたまま内管３を鞘管２の内壁に接触させて固定するものであり、図１および図２（ａ）に示すように、短幅で長尺の薄板からなる。内管揺動抑制部材４としては、薄板で厚み方向に膨縮可能な材料であれば特に限定せず、例えば、ポリウレタンや軟質ポリ塩化ビニルなどの合成樹脂、ポリオレフィン発泡体やポリスチレン発泡体などの発泡体、ゴム、またはスポンジなどが用いられる。
【００２６】
また、内管揺動抑制部材４には、鞘管２内壁に接する面に滑りやすい材質からなる表面層４１を形成するとよく、これにより、内管揺動抑制部材４表面と鞘管２内壁との摩擦を小さくできるため、内管揺動抑制部材４と内管３とを鞘管２内に挿入する際の抵抗を少なくすることができる。この場合、内管揺動抑制部材４の表面層４１としては、滑りやすい材質であれば特に限定せず、例えば、硬質の合成樹脂、またはアルミニウムなどの金属などを用いることができる。また、内管揺動抑制部材４は、鞘管２内壁に接する面にエンボス加工を施してもよく、これにより、内管揺動抑制部材４表面と鞘管２内壁との接触面積を減少させることができるため、内管揺動抑制部材４と鞘管２との抵抗を小さくでき、内管揺動抑制部材４と内管３とを鞘管２に挿入しやすくなる。
【００２７】
内管揺動抑制部材４の幅は、内管揺動抑制部材４の厚みよりも大きくするとよく、また、内管２外周の１／２よりも小さくするとよい。このように内管揺動抑制部材４の幅を厚みよりも大きくすることで、内管揺動抑制部材４が鞘管２と内管３との間隙で転がってしまうことがなく、内管揺動抑制部材４の厚み方向の膨縮効果が良好に発揮される。また、内管揺動抑制部材４の幅を内管３外周の１／２よりも小さくすることで、内管３と内管揺動抑制部材４とを鞘管２内に挿入する際、内管揺動抑制部材４を内管３に巻きつけながら挿入するといった手間が必要なく、また、内管揺動抑制部材４が折れ曲がって挿入されることがない。
【００２８】
内管揺動抑制部材４の厚さは、中心から両側縁に向かって幅方向に薄くされたものであってもよく、これにより、鞘管２と内管３との間の周方向に不均一な間隙に、内管揺動抑制部材４を合致させることができるため、内管３の揺動をさらに抑制することができる。
【００２９】
なお、本発明の二重管１の配管は、内管揺動抑制部材４を内管３に添わせながら内管３と共に鞘管２内に挿入して行うとよく、内管３と内管揺動抑制部材４とを予め接着したり、また、内管揺動抑制部材４と内管３とを鞘管２に挿入した二重管１を予め作製しておいたりする必要がなく、配管の施工性を向上させることができる。
【００３０】
［実施の形態２］
図３および図４は、本発明の実施の形態２における二重管を示す斜視図および断面図である。
【００３１】
本実施の形態の二重管１は、鞘管２と、この鞘管２に挿通された内管３と、鞘管２と内管３との間隙に介装された内管揺動抑制部材４とを備えている。
【００３２】
なお、本実施の形態の二重管１は、内管揺動抑制部材４を除いて、前述した実施の形態１の二重管１と同じ構成であるので、同一部材には同一符号を付してその説明を省略し、相違点である内管揺動抑制部材４についてのみ説明する。
【００３３】
上記内管揺動抑制部材４は、鞘管２と内管３との間隙に介装されることで、鞘管２内で内管３を偏位させたまま内管３を鞘管２の内壁に接触させて固定するものである。この内管揺動抑制部材４は、図３および図４（ａ）に示すように、テープ状体を長手方向に折り曲げることで、内管揺動抑制部材４の厚み方向に膨縮可能な構造となっている。内管揺動抑制部材４としては、上記のように折り曲げることで、膨縮できる材質であれば特に限定せず、例えば、ポリプロピレンなどの合成樹脂や、ばね材などの金属などがあげられる。
【００３４】
内管揺動抑制部材４の幅としては、折り曲げられて形成される２面の幅を、必ずしも同一幅とする必要はなく、また、これらの２面のうち、大きな面の幅を、鞘管２内径よりも短くし、また、内管３外径の半分よりも長くするとよい。これにより、内管揺動抑制部材４が大きすぎて、鞘管２内に挿入しにくくなるといったことがなく、また、内管揺動抑制部材４が小さすぎて、鞘管２と内管３との間隙で転がってしまい、内管揺動抑制部材４が膨縮できなくなるといったことがない。
【００３５】
内管揺動抑制部材４は、図４（ｃ）に示すように、形成された折り山４２が、内管３と内管揺動抑制部材４との重なりに対して略直交するように向けられ、鞘管２と内管３との間隙に挿入される。これにより、内管揺動抑制部材４は、厚み方向に膨縮可能となるため、内管３がわずかに揺動したとしても、その揺動を吸収することができる。また、内管３と内管揺動抑制部材４とを鞘管２内に挿入する際に、鞘管２に扁平した部分があっても、内管揺動抑制部材４は厚み方向に膨縮可能であり、鞘管２の扁平形状に追従することができるため、挿入の際の抵抗を少なくすることができる。
【００３６】
なお、本発明の二重管１の配管は、内管揺動抑制部材４を内管３に添わせながら内管３と共に鞘管２内に挿入して行うとよく、内管３と内管揺動抑制部材４とを予め接着したり、また、内管揺動抑制部材４と内管３とを鞘管２に予め挿入した二重管１を作製しておいたりする必要がなく、配管の施工性を向上させることができる。
【図面の簡単な説明】
【００３７】
【図１】本発明の実施の形態１の二重管を示す斜視図である。
【図２】本発明の実施の形態１の二重管を示す断面図である。
【図３】本発明の実施の形態２の二重管を示す斜視図である。
【図４】本発明の実施の形態２の二重管を示す断面図である。
【図５】鞘管ヘッダー式配管システムの概略図である。
【符号の説明】
【００３８】
１        二重管
２        鞘管
３        内管
４        内管揺動抑制部材
４１      表面層
４２      折り山
【図１】
2007046706.tif 000003
【図２】
2007046706.tif 000004
【図３】
2007046706.tif 000005
【図４】
2007046706.tif 000006
【図５】
2007046706.tif 000007